(57)【要約】【課題】スマートフォン等のカメラで撮影した本人確認証の画像であっても、これを用いて本人確認証の真贋判定を好適に行うことのできる真贋判定装置等を提供する。【解決手段】真贋判定装置３は、ユーザ端末５から受信したIDカードの画像を用いてIDカードの真贋判定を行うものであり、IDカードの画像から画像の撮影時の焦点が合っているか否かを判定する焦点ズレ判定手段３０２と、焦点ズレ判定手段３０２で焦点が合っているとされた画像を用いてIDカードの真贋判定を行う真贋判定手段３０４と、を有する。【選択図】図４
2020177368.tif 000002
【特許請求の範囲】
【請求項１】
本人確認証を撮影した画像から、前記画像の撮影時の焦点が合っているか否かを判定する焦点ズレ判定手段と、
前記焦点ズレ判定手段で撮影時の焦点が合っているとされた前記画像を用いて前記本人確認証の真贋判定を行う真贋判定手段と、
を有することを特徴とする真贋判定装置。
【請求項２】
前記焦点ズレ判定手段は、前記画像中の前記本人確認証のプレ印刷部分の文字を用いて、前記画像の撮影時の焦点が合っているか否かを判定することを特徴とする請求項１記載の真贋判定装置。
【請求項３】
前記焦点ズレ判定手段は、前記文字のOCR処理による文字認識結果の正誤を用いて、前記画像の撮影時の焦点が合っているか否かを判定することを特徴とする請求項２記載の真贋判定装置。
【請求項４】
前記真贋判定手段は、前記焦点ズレ判定手段で焦点が合っているとされた複数の前記画像のなかから、前記文字認識結果の信頼度に基づいて選択された前記画像を用い、真贋判定を行うことを特徴とする請求項３記載の真贋判定装置。
【請求項５】
前記焦点ズレ判定手段は、前記文字のOCR処理による文字認識結果の信頼度を用いて、前記画像の撮影時の焦点が合っているか否かを判定することを特徴とする請求項２記載の真贋判定装置。
【請求項６】
前記焦点ズレ判定手段は、前記画像中の撮影対象の輪郭部分の濃度変化を用いて、前記画像の撮影時の焦点が合っているか否かを判定することを特徴とする請求項１記載の真贋判定装置。
【請求項７】
前記撮影対象は、前記本人確認証に付された付加物であることを特徴とする請求項６記載の真贋判定装置。
【請求項８】
前記撮影対象は、前記本人確認証であることを特徴とする請求項６記載の真贋判定装置。
【請求項９】
前記焦点ズレ判定手段は、前記画像から得られる、
前記本人確認証のプレ印刷部分の文字のOCR処理による文字認識結果の正誤、
前記本人確認証のプレ印刷部分の文字のOCR処理による文字認識結果の信頼度、
前記本人確認証に付された付加物の輪郭部分の濃度変化、
前記本人確認証の輪郭部分の濃度変化、
の各評価指標のうち、少なくとも２以上の評価指標を用いて前記画像の撮影時の焦点が合っているか否かを判定することを特徴とする請求項１に記載の真贋判定装置。
【請求項１０】
前記焦点ズレ判定手段は、前記評価指標を点数化し、各評価指標の点数の重み付け和によって得られた総合点から前記画像の撮影時の焦点が合っているか否かを判定することを特徴とする請求項９記載の真贋判定装置。
【請求項１１】
前記画像をユーザ端末から受信する受信手段と、
前記焦点ズレ判定手段で前記画像の撮影時の焦点が合っていないとされた場合に、前記本人確認証を撮影した新たな画像を前記真贋判定装置に再送信するよう再送信要求を前記ユーザ端末に送信する送信手段と、
を更に有することを特徴とする請求項１から請求項１０のいずれかに記載の真贋判定装置。
【請求項１２】
コンピュータを、
本人確認証を撮影した画像から、前記画像の撮影時の焦点が合っているか否かを判定する焦点ズレ判定手段と、
前記焦点ズレ判定手段で撮影時の焦点が合っているとされた前記画像を用いて前記本人確認証の真贋判定を行う真贋判定手段と、
を有する真贋判定装置として機能させるためのプログラム。
【発明の詳細な説明】
【技術分野】
【０００１】
本発明は、真贋判定装置とそのプログラムに関する。
【背景技術】
【０００２】
金融機関では口座開設時に運転免許証等のIDカードによる本人確認が必要であるが、特殊詐欺などの犯罪目的から別人になりすましての口座開設を行うためにIDカードを偽造するケースが増えつつある。
【０００３】
通常の金融機関では、ユーザが金融機関に出向いてIDカードを提出し、金融機関側は提出されたIDカードを用いて対面により本人確認するのが一般的である。この場合、IDカードをじっくりと観察でき、カードの触感でも不自然さを検出できる。また、最近のIDカードにはIC機能が付与されているので、ICをチェックすることで、より確かな本人確認が可能になる。
【０００４】
また特許文献１にはIDカードの券面をスキャナで撮影した画像からIDカードの真贋を判定する真贋判定装置が記載されており、提出されたIDカードをスキャナで読取ることでIDカードの真贋判定を行うことも可能である。
【先行技術文献】
【特許文献】
【０００５】
【特許文献１】特開2011-34535号公報
【発明の概要】
【発明が解決しようとする課題】
【０００６】
最近ではネット銀行などインターネット上の金融機関も一般的になってきている。この種の金融機関では、スマートフォン等のカメラでIDカードを撮影し、その画像を金融機関に送ることで本人確認が行われるものもある。
【０００７】
この場合、本人確認は対面でなく画像だけで行われるので、偽造を見破るための画像処理技術の向上が望まれている。この点、近年のスマートフォン等ではカメラの撮像素子が高密度化しているため、そのカメラで撮影した画像から偽造を見破ることは画像処理技術の向上により十分に可能である。
【０００８】
ただし、スマートフォン等のカメラを用いてIDカードを撮影する場合、特許文献１のようにスキャナを用いる場合とは異なり、IDカードの撮影時に焦点ズレが生じるケースがあり、画像のぼけによってIDカードの真贋が誤判定される可能性がある。結果、正しいIDカードであっても偽のIDカードと判定され、本人確認がうまく機能しない恐れがある。
【０００９】
本発明は上記の問題に鑑みてなされたものであり、スマートフォン等のカメラで撮影した本人確認証の画像であっても、これを用いて本人確認証の真贋判定を好適に行うことのできる真贋判定装置等を提供することを目的とする。
【課題を解決するための手段】
【００１０】
前述した課題を解決するための第１の発明は、本人確認証を撮影した画像から、前記画像の撮影時の焦点が合っているか否かを判定する焦点ズレ判定手段と、前記焦点ズレ判定手段で撮影時の焦点が合っているとされた前記画像を用いて前記本人確認証の真贋判定を行う真贋判定手段と、を有することを特徴とする真贋判定装置である。
【００１１】
本発明では、本人確認証を撮影した画像から本人確認証の真贋判定を行う前に、当該画像から撮影時の焦点が合っているか否かの判定を行い、撮影時の焦点が合っているとされた画像を真贋判定に用いるので、本人確認証を撮影した際の焦点ズレにより本人確認証の真贋が誤判定されることが無い。そのため、スマートフォン等のカメラで撮影した本人確認証の画像であっても、これを用いて本人確認証の真贋判定を好適に行うことができる。
【００１２】
前記焦点ズレ判定手段は、前記画像中の前記本人確認証のプレ印刷部分の文字を用いて、前記画像の撮影時の焦点が合っているか否かを判定することが望ましい。
本人確認証の撮影時に焦点ズレが有る場合、その画像では本人確認証のプレ印刷部分の文字が不明瞭になる。従って、画像中のプレ印刷部分の文字から焦点ズレの有無の判定を行うことができる。
【００１３】
前記焦点ズレ判定手段は、例えば、前記文字のOCR処理による文字認識結果の正誤を用いて、前記画像の撮影時の焦点が合っているか否かを判定する。
前記のように、本人確認証の撮影時に焦点ズレが有ると、プレ印刷部分の文字が不明瞭になることでその文字がOCR処理により正しく読み取れず、文字認識結果が誤ったものになる可能性が高くなる。そのため、OCR処理による文字認識結果の正誤から焦点ズレの有無の判定を好適に行える。
【００１４】
前記真贋判定手段は、前記焦点ズレ判定手段で焦点が合っているとされた複数の前記画像のなかから、前記文字認識結果の信頼度に基づいて選択された前記画像を用い、真贋判定を行うことも望ましい。
OCR処理時に得られる文字認識結果の信頼度は画像中のプレ印刷部分の文字が明瞭であるほど高くなる。従って、撮影時の焦点が合っているとされた複数の画像の中から、プレ印刷部分の文字が最も明瞭な、即ち撮影時の焦点が最も合っている画像を当該信頼度に基づいて選択し、真贋判定に用いることができる。
【００１５】
前記焦点ズレ判定手段は、前記文字のOCR処理による文字認識結果の信頼度を用いて、前記画像の撮影時の焦点が合っているか否かを判定することも望ましい。
OCR処理時に得られる文字認識結果の信頼度は、焦点ズレの有無の判定にも用いることができる。即ち、文字認識結果の信頼度は画像中のプレ印刷部分の文字が明瞭であるほど高くなるので、当該信頼度を用いて焦点ズレの有無の判定を好適に行える。
【００１６】
前記焦点ズレ判定手段は、前記画像中の撮影対象の輪郭部分の濃度変化を用いて、前記画像の撮影時の焦点が合っているか否かを判定してもよい。
撮影時に焦点ズレが有る場合、その画像では撮影対象の輪郭部分に明確なエッジが現れず、輪郭部分の濃度変化が緩やかになる。そのため、前記したプレ印刷部分の文字だけでなく、輪郭部分の濃度変化から焦点ズレの有無の判定を行うことも可能である。
【００１７】
前記撮影対象は、例えば前記本人確認証に付された付加物であるが、前記本人確認証であってもよい。
前者の場合、焦点ズレの有無の判定に適した付加物を用いて正確な判定が期待でき、後者の場合、本人確認証に付加物を付して本人確認証と一緒に撮影する手間がかからない。
【００１８】
前記焦点ズレ判定手段は、前記画像から得られる、前記本人確認証のプレ印刷部分の文字のOCR処理による文字認識結果の正誤、前記本人確認証のプレ印刷部分の文字のOCR処理による文字認識結果の信頼度、前記本人確認証に付された付加物の輪郭部分の濃度変化、前記本人確認証の輪郭部分の濃度変化、の各評価指標のうち、少なくとも２以上の評価指標を用いて前記画像の撮影時の焦点が合っているか否かを判定することも望ましい。
上記した複数の評価指標から焦点ズレの有無の判定を総合的に行うことで、焦点ズレの有無の判定精度が高くなる。
【００１９】
前記焦点ズレ判定手段は、前記評価指標を点数化し、各評価指標の点数の重み付け和によって得られた総合点から前記画像の撮影時の焦点が合っているか否かを判定することも望ましい。
このように、各評価基準の重要性を勘案した総合点を重み付け和により算出することで、焦点ズレの有無の判定精度をより向上させることができる。
【００２０】
前記真贋判定装置は、前記画像をユーザ端末から受信する受信手段と、前記焦点ズレ判定手段で前記画像の撮影時の焦点が合っていないとされた場合に、前記本人確認証を撮影した新たな画像を前記真贋判定装置に再送信するよう再送信要求を前記ユーザ端末に送信する送信手段と、を更に有することが望ましい。
本発明の真贋判定装置は、ユーザ端末から本人確認証の画像を受信することで、真贋判定装置とユーザ端末による真贋判定システムをネットワークを利用して構築できる。ユーザ端末から受信した画像の焦点が合っていない場合は、本人確認証の真贋判定を行うために新たな画像を再送信するようユーザ端末に要求できる。
【００２１】
第２の発明は、コンピュータを、本人確認証を撮影した画像から、前記画像の撮影時の焦点が合っているか否かを判定する焦点ズレ判定手段と、前記焦点ズレ判定手段で撮影時の焦点が合っているとされた前記画像を用いて前記本人確認証の真贋判定を行う真贋判定手段と、を有する真贋判定装置として機能させるためのプログラムである。
【発明の効果】
【００２２】
本発明により、スマートフォン等のカメラで撮影した本人確認証の画像であっても、これを用いて本人確認証の真贋判定を好適に行うことのできる真贋判定装置等を提供することができる。
【図面の簡単な説明】
【００２３】
【図１】真贋判定システム１を示す図。
【図２】真贋判定装置３のハードウェア構成を示す図。
【図３】ユーザ端末５のハードウェア構成を示す図。
【図４】真贋判定装置３の機能構成を示す図。
【図５】IDカード１０を示す図。
【図６】真贋判定方法の流れを示すフローチャート。
【図７】IDカード１０の画像中のプレ印刷部分の文字の例。
【図８】真贋判定について説明する図。
【図９】濃度差の度数分布を示す図。
【図１０】真贋判定方法の流れを示すフローチャート。
【図１１】付箋２０を示す図。
【図１２】IDカード１０の画像中の付箋２０の例。
【図１３】付箋２０を示す図。
【図１４】IDカード１０の輪郭部分を示す図。
【図１５】焦点ズレの有無の判定について説明する図。
【発明を実施するための形態】
【００２４】
以下、図面に基づいて本発明の好適な実施形態について詳細に説明する。
【００２５】
［第１の実施形態］
（１．真贋判定システム１）
図１は本発明の実施形態に係る真贋判定装置３を有する真贋判定システム１を示す図である。真贋判定システム１は、真贋判定装置３とユーザ端末５とをネットワークを介して通信可能に接続して構成される。真贋判定システム１では、ユーザのIDカード１０を撮影した画像をユーザ端末５から真贋判定装置３に送信し、真贋判定装置３にて当該画像からIDカード１０の真贋判定を行う。
【００２６】
図２は真贋判定装置３のハードウェア構成を示す図である。図２に示すように、真贋判定装置３は、制御部３１、記憶部３２、表示部３３、入力部３４、通信部３５等をバス等で接続して構成されたコンピュータにより実現できる。ただしこれに限ることは無く、適宜様々な構成をとることができる。
【００２７】
制御部３１はCPU、ROM、RAMなどから構成される。CPUは、記憶部３２、ROMなどの記憶媒体に格納された真贋判定装置３の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部３２、ROMなどからロードしたプログラムやデータを一時的に保持するとともに、制御部３１が各種処理を行うために使用するワークエリアを備える。
【００２８】
記憶部３２はハードディスクドライブやソリッドステートドライブ、フラッシュメモリ等であり、後述する処理に際し真贋判定装置３が実行するプログラム、プログラム実行に必要なデータ、OSなどが格納される。これらのプログラムやデータは、制御部３１により必要に応じて読み出され実行される。
【００２９】
表示部３３は液晶ディスプレイ等を備える。
入力部３４は真贋判定装置３に各種の設定入力を行うものである。
通信部３５はネットワークを介した通信を媒介する通信インタフェースであり、ユーザ端末５との間で通信を行う。
【００３０】
ユーザ端末５はユーザの所持する端末であり、IDカード１０を撮影してその画像を真贋判定装置３に送信する。ユーザ端末５としては、例えばスマートフォンやタブレット端末等の携帯端末などが用いられる。
【００３１】
図３はユーザ端末５のハードウェア構成を示す図である。図３に示すように、ユーザ端末５は、制御部５１、記憶部５２、表示部５３、入力部５４、通信部５５、カメラ５６、音声入出力部５７等をバス等により接続して構成される。ただしこれに限ることは無く、適宜様々な構成をとることができる。
【００３２】
制御部５１、記憶部５２、入力部５４、通信部５５の機能は上述した制御部３１、記憶部３２、入力部３４、通信部３５と略同様である。また表示部５３は液晶パネル等のディスプレイ装置を有し、入力部５４としてのタッチパネルが設けられている。音声入出力部５７は、音声の入出力に用いるマイクやスピーカーを備える。
【００３３】
カメラ５６は、光学レンズ、CCD（Charge Coupled Device）やCMOS（Complementary Metal-Oxide Semiconductor）等の撮像素子、A/D（Analog/Digital）変換部等から構成されるエリアカメラである。カメラ５６は、光学レンズを介して入力された平面的な被写体像を撮像素子により光電変換し、アナログ画像信号を生成する。そして、A/D変換部によりアナログ画像信号をデジタル画像データに変換する。
【００３４】
図４は真贋判定装置３の機能構成を示す図である。真贋判定装置３は、受信手段３０１、焦点ズレ判定手段３０２、送信手段３０３、真贋判定手段３０４等を有する。
【００３５】
受信手段３０１は、真贋判定装置３が通信部３５を介してユーザ端末５からIDカード１０を撮影した画像を受信するものである。
【００３６】
焦点ズレ判定手段３０２は、真贋判定装置３の制御部３１が、ユーザ端末５から受信したIDカード１０の画像から画像の撮影時の焦点が合っているか否かを判定するものである。特に本実施形態ではIDカード１０のプレ印刷部分の文字を用いて判定を行う。IDカード１０のプレ印刷部分並びに判定の詳細については後述する。
【００３７】
送信手段３０３は、上記の判定で画像の撮影時の焦点が合っていないとされた場合に、IDカード１０を撮影した新たな画像を真贋判定装置３に再送信するよう、真贋判定装置３が通信部３５を介してユーザ端末５に画像の再送信要求を送信するものである。
【００３８】
真贋判定手段３０４は、上記の判定で撮影時の焦点が合っているとされた画像を用いてIDカード１０の真贋判定を行うものである。この真贋判定の詳細については後述する。
【００３９】
（２．IDカード１０）
IDカード１０は、本実施形態において真贋判定の対象となる本人確認証である。本人確認証は、金融機関や携帯電話キャリアなどで本人確認に用いられる媒体をいい、例えば運転免許証、マイナンバーカード、在留カード、特別永住者カードなどである。
【００４０】
図５（ａ）はIDカード１０の概略を示す図であり、IDカード１０の券面の一例を模式的に示したものである。IDカード１０は、横に長い略矩形状のカード基材１１に、カード所持者の氏名１２、生年月日１３、住所１４および顔画像１８、IDカード１０の交付年月日１５、発行番号１６、有効期限１７などを印刷したものである。
【００４１】
IDカード１０のうち、氏名１２、生年月日１３の「年」「月」「日」「生」を除く文字、住所１４、顔画像１８、交付年月日１５の「年」「月」「日」を除く文字、発行番号１６の「第」「号」を除く文字、有効期限１７などはIDカード１０によって異なるオンデマンド情報であり、溶融型熱転写方式、昇華型熱転写方式などの熱転写方式によってカード基材１１上に印刷して形成される。
【００４２】
一方、氏名１２、住所１４、交付年月日１５、発行番号１６の記載欄を示す「氏名」「住所」「交付年月日」「番号」などの文字、氏名１２、生年月日１３、住所１４、交付年月日１５、発行番号１６の記載欄の罫線、生年月日１３の「年」「月」「日」「生」の文字、交付年月日１５の「年」「月」「日」の文字、発行番号１６の「第」「号」の文字は、各IDカード１０で共通に使用される。
【００４３】
これらの文字あるいは罫線は、オンデマンド情報の印刷前に、オフセット印刷方式や凸版印刷方式などの印刷方式でカード基材１１上の決まった位置に予め形成され、プレ印刷部分と呼ばれる。図５（ｂ）はIDカード１０からプレ印刷部分を抜き出したものであり、図５（ｂ）のように予めプレ印刷部分を形成したカード基材１１に前記のオンデマンド情報を印刷することでIDカード１０が製造される。オンデマンド情報やプレ印刷部分がどのような構成となるかは、運転免許証、マイナンバーカード、在留カード、特別永住者カードなどIDカード１０の種類によって異なる。
【００４４】
（３．真贋判定方法）
図６は真贋判定システム１で実行される真贋判定方法の流れを示すフローチャートである。図６のＳ１〜Ｓ２、Ｓ６はユーザ端末５の制御部５１がユーザ端末５の各部を制御して実行する処理であり、Ｓ３〜Ｓ５、Ｓ７〜Ｓ８は真贋判定装置３の制御部３１が真贋判定装置３の各部を制御して実行する処理である。
【００４５】
本実施形態では、まずユーザがユーザ端末５を操作して記憶部５２に予め格納された専用のアプリケーションプログラムを立ち上げる。すると、ユーザ端末５は表示部５３にメニュー画面（不図示）を表示し、メニュー画面でのユーザの選択に応じてカメラ５６を起動し、IDカード１０の券面を撮影する（Ｓ１）。そして、IDカード１０の画像を真贋判定装置３に送信する（Ｓ２）。カメラ起動時には、例えばユーザ端末５の表示部５３にインストラクションを表示するなどしてIDカード１０の券面に焦点を合わせて撮影を行うよう促すことも可能である。
【００４６】
真贋判定装置３は、IDカード１０の画像を受信する（Ｓ３）と、当該画像の撮影時の焦点が合っているか否かを判定する（Ｓ４）。本実施形態では、Ｓ４において、画像に写されたIDカード１０のプレ印刷部分の文字を用い、画像の撮影時の焦点が合っているか否かの判定（以下、焦点ズレの有無の判定ということがある）を行う。
【００４７】
より具体的には、画像中のプレ印刷部分の文字をOCR(Optical Character Recognition)処理によって読取り、その文字認識結果の正誤を用いて判定を行う。すなわち、画像の撮影時の焦点が合っていれば、図７（ａ）に示すようにプレ印刷部分の文字が明瞭でありOCR処理による文字認識結果が正しいものになる。
【００４８】
図７（ａ）はプレ印刷部分の文字として「氏名」を含む所定範囲をIDカード１０の画像から切り出した例であり、OCR処理による文字認識結果を予め記憶部３２に記録された正の値（この場合は「氏名」）と比較し、文字認識結果が正の値と一致すれば文字認識結果が正しいとする。一方、画像の撮影時の焦点が合っていなければ、図７（ｂ）に示すようにプレ印刷部分の文字が不明瞭になり、OCR処理による文字認識結果が正の値に一致しない誤ったものになる可能性が高くなる。
【００４９】
本実施形態では、IDカード１０のプレ印刷部分の文字の全てについて、当該文字を含む所定範囲をIDカード１０の画像からそれぞれ切り出して上記のOCR処理を行い、文字認識結果を正の値と比較する。そして、少なくとも一つの文字認識結果が誤ったものであれば画像の撮影時の焦点が合っていないとし（Ｓ４；ＮＯ）、真贋判定装置３は、IDカード１０を撮影した新たな画像を真贋判定装置３に再送信するよう、ユーザ端末５に画像の再送信要求を送信する（Ｓ５）。
【００５０】
ユーザ端末５は、再送信要求を受信する（Ｓ６）と、IDカード１０を撮影するよう促すメッセージを表示部５３に表示し、以下Ｓ１以降の処理を繰り返す。
【００５１】
一方、焦点ズレの有無の判定（Ｓ４）において、IDカード１０のプレ印刷部分の文字の全てについてOCR処理による文字認識結果が正しければ、画像の撮影時の焦点が合っているとし（Ｓ４；ＹＥＳ）、真贋判定装置３は記憶部３２にIDカード１０の画像を記録して（Ｓ７）、当該画像を用いたIDカード１０の真贋判定を行う（Ｓ８）。
【００５２】
本実施形態では、Ｓ８において、プレ印刷部分の文字の境界部の濃度変化を利用した真贋判定を行うことで、プレ印刷部分が正しい印刷方式（前記したオフセット印刷方式や凸版印刷方式）で印刷されていないものを偽のIDカード１０とする。
【００５３】
すなわち、図８（ａ）は、IDカード１０のプレ印刷部分として「番号」の「番」の文字を拡大した例であり、オフセット印刷方式や凸版印刷方式で形成される線にはニジミやカスレが無く、境界部のエッジが明確に現れる。この部分が仮に昇華型熱転写方式で印刷されると、図８（ｂ）に示すように線の境界部には明確なエッジが現れずにグラデーションが生じる（ただし、前記のＳ４において文字認識結果が誤とならない程度のグラデーションである）。
【００５４】
このように、正規のIDカード１０ではプレ印刷部分がオフセット印刷方式や凸版印刷方式で形成され、線の境界部に明確なエッジが現れるので、上記のように線の境界部に明確なエッジが現れないものを、プレ印刷部分が正しい印刷方式で印刷されていない偽のIDカード１０と判定できる。
【００５５】
具体的な判定手法は特に限定されないが、本実施形態では、例えば図８（ａ）、（ｂ）のようなプレ印刷部分の文字を含む所定範囲をIDカード１０の画像から切り出し、切り出した画像を特定方向（例えば図８の左右方向）に走査し、当該方向に隣接する画素間の濃度差を全て算出し、濃度差の度数分布を作成する。
【００５６】
プレ印刷部分がオフセット印刷方式や凸版印刷方式で形成された正規のIDカード１０の場合、図８（ａ）のように線の境界部に明確なエッジが現れてエッジ部分のみで濃淡が鋭く変化する結果、図９（ａ）のように濃度差が大きい部分と小さい部分が多くなる。一方、プレ印刷部分が昇華型熱転写方式で印刷された偽のIDカード１０の場合、図８（ｂ）のように境界部で明確なエッジが現れずにグラデーションが生じる結果、図９（ｂ）に示すように濃度差が大きい部分が比較的少なく、濃度差が中間的な値になる部分が多くなる。このような度数分布の差異から、例えば分散など度数分布の統計量を用いてIDカード１０の真贋判定を行うことができる。
【００５７】
なお、インクジェット方式により印刷を行う場合も、誤差拡散法により濃淡を表現する結果、線の境界部にニジミやボケが生じるので、インクジェット方式でプレ印刷部分が印刷されたIDカード１０も同様に偽と判定できる。このように、上記の手法は、昇華型熱転写方式に限らず、インクジェット方式、あるいはドットの面積で階調を表現するような印刷方式（例えば、電子写真印刷方式）など、線の境界部のエッジが明確に現れないような印刷方式による偽造全般を検出できる。また、文字ではなくプレ印刷部分の罫線の画像を真贋判定に用いることも可能であり、プレ印刷部分のその他の線を真贋判定に用いてもよい。
【００５８】
以上説明したように、本実施形態では、IDカード１０を撮影した画像からIDカード１０の真贋判定を行う前に、当該画像から撮影時の焦点が合っているか否かの判定を行い、撮影時の焦点が合っているとされた画像を真贋判定に用いるので、IDカード１０を撮影した際の焦点ズレによりIDカード１０の真贋が誤判定されることが無い。そのため、スマートフォン等のカメラで撮影したIDカード１０の画像であっても、これを用いてIDカード１０の真贋判定を好適に行うことができる。
【００５９】
特に本実施形態では、IDカード１０の撮影時に焦点ズレが有る場合、その画像ではIDカード１０のプレ印刷部分の文字が不明瞭になることを利用して、画像中のプレ印刷部分の文字から焦点ズレの有無の判定を行うことができる。具体的には、プレ印刷部分の文字が不明瞭になることでその文字がOCR処理により正しく読み取れず、文字認識結果が誤ったものになる可能性が高くなることを利用し、OCR処理による文字認識結果の正誤から焦点ズレの判定を好適に行える。またOCR処理による文字認識結果を焦点ズレの有無の判定に利用する場合、判定と同時にIDカード１０の券面の文字情報を取得でき、文字情報をデータベースや帳票の作成に用いることで業務効率化を図れる点でも好ましい。
【００６０】
また本実施形態の真贋判定装置３は、ユーザ端末５からIDカード１０の画像を受信することで、真贋判定装置３とユーザ端末５による真贋判定システム１をネットワークを利用して構築できる。ユーザ端末５から受信した画像の焦点が合っていない場合は、IDカード１０の真贋判定を行うために新たな画像を送信するようユーザ端末５に要求できる。
【００６１】
しかしながら、本発明は上記の実施形態で説明したものに限らない。例えば本実施形態では、プレ印刷部分の文字を用いた焦点ズレの有無の判定手法として、OCR処理による文字認識結果の正誤による判定を行っているが、OCR処理時には文字認識結果の信頼度も得られ、この信頼度を焦点ズレの有無の判定に用いることも可能である。
【００６２】
上記の信頼度はOCR処理による文字認識分野では既知の指標であり（例えば特開2014-232930号公報、特開2014-137605号公報など）、画像中の文字の形状と、当該文字の文字認識結果として得られた文字の形状との類似度を示す値である。
【００６３】
例えばOCR処理では画像中の文字を予め真贋判定装置３の記憶部３２に辞書登録された候補文字のうちの１つとして認識するが、信頼度はその候補文字と画像中の文字の形状が類似していれば高い値になる。従って、明瞭さに関しても、図８（ａ）のように撮影時の焦点が合っておりプレ印刷部分の文字が明瞭であるほど信頼度は高くなり、図８（ｂ）のように焦点が合っておらず文字が不明瞭になると信頼度は低くなる。
【００６４】
信頼度を用いた判定手法としては、例えば画像中のプレ印刷部分の文字の全てについて文字認識結果の信頼度を合算し、合算した信頼度が閾値以上となった場合に焦点が合っていると判定できる。ただし具体的な判定手法はこれに限定されない。なお、上記の信頼度は文字認識結果の正誤に関係なく求められる値であり、例えば「日」というIDカード１０のプレ印刷部分の文字が画像中で「目」に近い形状である場合、文字認識結果が「目」と誤ったものになるが、信頼度は高い、というケースも有り得る。
【００６５】
一方、真贋判定の手法についても、前記のように線の境界部の濃度変化を利用するものに限らず、IDカード１０の画像を用いて行うものであれば特に限定されない。どのような手法であっても、IDカード１０の画像を用いるものであれば画像の撮影時の焦点が合っていないことは誤判定の要因となり、本実施形態のように撮影時の焦点が合っていない画像を除外するのは有効である。
【００６６】
また本実施形態ではIDカード１０を撮影した画像をユーザ端末５から真贋判定装置３に１枚ずつ送信し、真贋判定装置３がその都度焦点ズレの有無の判定（Ｓ４）を行っているが、IDカード１０を撮影した複数枚の画像をユーザ端末５から真贋判定装置３に一度に送信してもよい。このケースでは、複数枚の画像全てについてＳ４の焦点ズレの有無の判定を行い、焦点が合っていると判定された画像が１枚も無い場合のみ、Ｓ５の再送信要求を行う。
【００６７】
また、図６で説明したフローでは、ユーザ端末５から送信された画像について焦点が合っていないと判定されても（Ｓ４；ＮＯ）、Ｓ１〜Ｓ４の処理を繰り返すことで、いずれ焦点の合った画像がＳ１で撮影されてＳ４で焦点が合っていると判定され（Ｓ４；ＹＥＳ）、真贋判定の処理に移ることを想定している。ただし、撮影時の焦点ズレでなく、IDカード１０のプレ印刷部分の文字そのものにゴミの付着や汚れ、劣化などの問題があってOCR処理による文字認識結果が誤となる場合、Ｓ１〜Ｓ４の処理を何回繰り返しても（IDカード１０を何回撮影しても）、Ｓ４において焦点が合っていないと判定される（Ｓ４；ＮＯ）恐れが考えられる。
【００６８】
これを防ぐための手法はいくつか考えられるが、例えば焦点が合っていないという判定結果（Ｓ４；ＮＯ）が所定回数繰り返された場合に、券面の文字にゴミの付着や汚れ、劣化などの問題が無いかIDカード１０の確認を促すメッセージをユーザ端末５に送信することが考えられる。
【００６９】
あるいは、焦点が合っていないという判定結果（Ｓ４；ＮＯ）が繰り返される中で、同じ文字の文字認識結果が所定回数連続して誤となっている場合には、その文字そのものに前記のような問題があるとして、次回以降の焦点ズレの有無の判定において当該文字の文字認識結果は考慮しない、といった運用とすることも可能である。
【００７０】
以下、本発明の別の例を第２〜第４の実施形態として説明する。第２〜第４の実施形態は、第１の実施形態と異なる点について主に説明し、同様の点については図等で同じ符号を付すなどして説明を省略する。
【００７１】
［第２の実施形態］
第２の実施形態として、真贋判定に用いる画像の候補を複数枚記録し、その中から真贋判定に適した画像を選択して真贋判定に用いる例について説明する。
【００７２】
この時の真贋判定方法の流れを示すのが図１０のフローチャートである。第２の実施形態では、撮影時の焦点が合っていると判定されたIDカード１０の画像を記憶部３２に記録した後（Ｓ７）、真贋判定装置３は、２以上の所定枚数の画像が記憶部３２に記録されたか否かを判定する（Ｓ１０１）。
【００７３】
そして、所定枚数の画像が記憶部３２に記録されていなければ（Ｓ１０１；ＮＯ）、真贋判定装置３は前記と同様、ユーザ端末５に画像の再送信要求を送信する（Ｓ５）。ユーザ端末５は、画像の再送信要求を受信する（Ｓ６）と、IDカード１０を撮影するよう促すメッセージを表示部５３に表示し、以下Ｓ１以降の処理を繰り返す。
【００７４】
こうして所定枚数の画像が記憶部３２に記録されれば（Ｓ１０１；ＹＥＳ）、真贋判定装置３は、そのなかから真贋判定に用いる画像を選択し（Ｓ１０２）、選択した画像を用いてIDカード１０の真贋判定を行う（Ｓ８）。
【００７５】
本実施形態では、焦点ズレの有無の判定（Ｓ４）を第１の実施形態と同様プレ印刷部分の文字の文字認識結果の正誤を用いて行うのに対し、Ｓ１０２における画像の選択は、前記した文字認識結果の信頼度に基づいて用いて行う。Ｓ１０２では、例えば画像中のプレ印刷部分の文字の全てについて文字認識結果の信頼度を合算し、合算した信頼度が最も高い画像を選択する。ただし、具体的な選択手法は特に限定されない。
【００７６】
このように、第２の実施形態では、焦点の合っている複数の画像から真贋判定に適した画像を選んで真贋判定に用いることができる。前記したように、OCR処理時に得られる文字認識結果の信頼度は画像中のプレ印刷部分の文字が明瞭であるほど高くなるので、当該信頼度に基づき、画像中のプレ印刷部分の文字が最も明瞭な、即ち撮影時の焦点が最も合っているIDカード１０の画像を真贋判定に用いることができる。
【００７７】
なお、第２の実施形態でも、前記と同様、IDカード１０を撮影した複数枚の画像をユーザ端末５から真贋判定装置３に一度に送信してもよい。このケースでは、複数枚の画像全てについてＳ４の焦点ズレの有無の判定を行い、Ｓ４において焦点が合っていると判定されＳ７において記憶部３２に記録された画像の枚数が前記した所定枚数未満の場合のみ、Ｓ５の再送信要求を行う。
【００７８】
［第３の実施形態］
第３の実施形態として、焦点ズレの有無の判定に、プレ印刷部分の文字でなく、画像に写された撮影対象の輪郭部分の濃度変化を用いる例を説明する。
【００７９】
すなわち、第３の実施形態では、図１１に示すように、ユーザがIDカード１０の券面に付箋２０を貼り付けることにより、IDカード１０に対する付加物として付箋２０を付す。そして、IDカード１０および付箋２０を撮影対象として撮影し、真贋判定装置３に送信する。
【００８０】
真贋判定装置３は、焦点ズレの有無の判定を、付箋２０の輪郭部分の濃度変化を用いて行う。即ち、図１２（ａ）に示すように、撮影時の焦点が合っている場合、画像中で付箋２０の輪郭部分のエッジが明確に現れ、急激な濃度変化が生じる。一方、焦点が合っていない場合、図１２（ｂ）に示すように付箋２０の輪郭部分には明確なエッジが現れずに濃度変化は緩やかになる。
【００８１】
付箋２０の輪郭部分の濃度変化を用いた具体的な判定手法は特に限定されないが、例えば前記と同様、図１２（ａ）、（ｂ）のような付箋２０を含む所定範囲をIDカード１０の画像から切り出し、切り出した画像を特定方向（例えば図１２の上下方向）に走査し、当該方向に隣接する画素間の濃度差を全て算出する。そして、濃度差の度数分布を作成し、その度数分布から図９等で説明したものと同様の手法で焦点ズレの有無の判定を行うことができる。
【００８２】
なお、付箋２０の貼り付け位置はＳ８における真贋判定に影響の無い範囲とし、例えばカメラ起動前にユーザ端末５の表示部５３にインストラクションを表示するなどして、予め定められた所定範囲に正しく付箋２０を貼り付けるように促す。また本実施形態では付箋２０の表面に撮影日時を記載するようにしており、付箋２０を撮影日時の記録目的とすることでユーザに納得感を与え、単に付箋２０を貼り付ける場合よりもユーザの違和感を軽減できる。
【００８３】
また、付箋２０はIDカード１０の券面上に貼り付けるものに限らず、図１３に示すようにIDカード１０の側方に貼り付け、IDカード１０と付箋２０を一枚の画像内に収めたものを真贋判定装置３に送信してもよい。
【００８４】
また、焦点ズレの有無の判定に用いる輪郭部分は、画像に写された撮影対象の輪郭部分であればよく、前記した付箋２０に限らない。例えば付箋２０に代えて他の付加物（例えばコインなど）をIDカード１０に付し、それらを撮影した画像から当該付加物の輪郭部分により焦点ズレの有無の判定を行ってもよい。付加物の形状等も特に問わない。
【００８５】
また、焦点ズレの有無の判定に用いる輪郭部分をIDカード１０自体の輪郭部分としてもよく、この場合はIDカード１０の撮影時に生じる影を利用して焦点ズレの有無の判定が可能である。
【００８６】
すなわち、図１４（ａ）、（ｂ）でIDカード１０の下辺部分を示すように、IDカード１０の撮影時にはカード基材１１の厚みと撮影時の照明によりIDカード１０の影３０も映るので、IDカード１０と影３０の境界部をIDカード１０の輪郭部分としてその濃度変化により焦点ズレの有無の判定を行うことができる。図１４（ａ）は画像の撮影時の焦点が合っている場合であり、画像中でIDカード１０の輪郭部分のエッジが明確に現れ、急激な濃度変化が生じる。一方、撮影時の焦点が合っていない場合、図１４（ｂ）に示すようにIDカード１０の輪郭部分には明確なエッジが現れずに濃度変化が緩やかになる。なお、カード基材１１の色は影３０と区別できる色（例えば白）である。
【００８７】
この場合の具体的な判定手法も特に限定されないが、例えばIDカード１０の画像から影３０の領域を検出し、図１４（ａ）、（ｂ）のような影３０を含む範囲をIDカード１０の画像から切り出す。その後、切り出した画像を特定方向（例えば図１４の上下方向）に走査し、当該方向に隣接する画素間の濃度差を全て算出する。そして、濃度差の度数分布から図９等で説明したものと同様の手法で焦点ズレの有無の判定を行うことができる。
【００８８】
このように、第３の実施形態では、撮影時に焦点ズレが有る場合、その画像では撮影対象の輪郭部分に明確なエッジが現れず、輪郭部分の濃度変化が緩やかになることを利用し、輪郭部分の濃度変化から焦点ズレの有無の判定を行うことができる。前記の付箋２０のようにIDカード１０とは別に付した付加物の輪郭部分を判定に用いる場合、焦点ズレの有無の判定に適した付加物（例えばカード基材１１に対する色のコントラストの大きいもの、単色のもの等）を用いて正確な判定が期待できる。一方、IDカード１０自体の輪郭部分を焦点ズレの有無の判定に用いる場合、IDカード１０に付加物を付してIDカード１０と一緒に撮影する手間がかからない。
【００８９】
［第４の実施形態］
第４の実施形態として、焦点ズレの有無の判定を、IDカード１０の画像から得られる複数の評価指標を用いて総合的に行う例を説明する。
【００９０】
図１５は焦点ズレの有無の判定について説明する図である。即ち、本実施形態では第３の実施形態のように付箋２０等の付加物を付したIDカード１０を撮影し、その画像を真贋判定装置３に送信する。そして、真贋判定装置３は、これまでの実施形態で説明した、
Ａ．IDカード１０のプレ印刷部分の文字をOCR処理によって読取った文字認識結果の正誤
Ｂ．IDカード１０のプレ印刷部分の文字をOCR処理によって読取った文字認識結果の信頼度
Ｃ．付加物の輪郭部分の濃度変化
Ｄ．IDカード１０の輪郭部分の濃度変化
の各評価指標Ａ〜Ｄを点数化し、それらの点数の重み付け和によって得られた総合点により焦点ズレの有無を判定する。
【００９１】
各評価指標の点数は、画像の撮影時の焦点が合っているほど高い点数となるようにする。例えば評価指標Ａ［文字認識結果の正誤］であれば文字認識結果が正となる文字が多いほど高い点数を与え、評価指標Ｂ［文字認識結果の信頼度］であれば各文字の文字認識結果の信頼度を合算した値が高いほど高い点数を与える。また、評価指標Ｃ［付加物の輪郭部分の濃度変化］や評価指標Ｄ［IDカードの輪郭部分の濃度変化］であれば、前記した濃度差の度数分布において、図９（ａ）のように濃度差の大きい部分と小さい部分の度数が大きいほど高い点数を与える。
【００９２】
さらに、各評価指標Ａ〜Ｄの点数にはその重要度に応じた重み付け係数を与え、図１５の例では評価指標Ａ［文字認識結果の正誤］と評価指標Ｂ［文字認識結果の信頼度］について高い係数を与えて重要視している。こうして設定した各評価指標Ａ〜Ｄの点数の重み付け和を総合点として焦点ズレの有無の判定に用いる。例えば総合点が閾値以上であれば焦点が合っているとする。
【００９３】
このように、本実施形態ではIDカード１０の画像から得られる複数の評価指標Ａ〜Ｄから焦点ズレの有無の判定を総合的に行うことで、焦点ズレの有無の判定精度が高くなる。また、各評価基準Ａ〜Ｄの重要性を勘案した総合点を重み付け和により算出することで、焦点ズレの有無の判定精度をより向上させることができる。なお、本実施形態では４つの評価指標Ａ〜Ｄを全て用いて判定を行うが、これに限らず、４つの評価指標Ａ〜Ｄのうち少なくとも２以上を用いればよい。また、各評価指標Ａ〜Ｄの点数の重み付け和でなく単純和を判定に用いることも可能である。
【００９４】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９５】
１：真贋判定システム
３：真贋判定装置
５：ユーザ端末
１０：IDカード
２０：付箋
３０：影
３０１：受信手段
３０２：焦点ズレ判定手段
３０３：送信手段
３０４：真贋判定手段
【図１】
2020177368.tif 000003
【図２】
2020177368.tif 000004
【図３】
2020177368.tif 000005
【図４】
2020177368.tif 000006
【図５】
2020177368.tif 000007
【図６】
2020177368.tif 000008
【図７】
2020177368.tif 000009
【図８】
2020177368.tif 000010
【図９】
2020177368.tif 000011
【図１０】
2020177368.tif 000012
【図１１】
2020177368.tif 000013
【図１２】
2020177368.tif 000014
【図１３】
2020177368.tif 000015
【図１４】
2020177368.tif 000016
【図１５】
2020177368.tif 000017